(57)【要約】      （修正有）【課題】キッチン使用時にキッチンユニット本体の上面を有効に拡大できるキッチンユニットを提供する。【解決手段】キッチンユニット本体１２の上面に加熱調理機器とシンクが設けられた対面式のキッチンユニット１０であって、キッチンユニット本体１２の正面の上側に、キッチンユニット本体１２の内部空間に配置された状態からキッチンユニット本体１２の上面とほぼ平行な状態となるように外方に移動される回転式の補助カウンターとスライドカウンター２２とを出し入れ自在に、かつ並列に設けた。キッチンユニット本体１２の正面の下側には、キッチンユニット本体１２の内部空間に配置された状態からキッチンユニット本体１２の外方に移動される引出し式椅子３６を出し入れ自在に配設した。【選択図】図２
0003159891.tif 000002
【実用新案登録請求の範囲】
【請求項１】
キッチンユニット本体の上面に加熱調理機器とシンクが設けられた対面式のキッチンユニットであって、
前記キッチンユニット本体の正面の上位に、前記キッチンユニット本体の内部空間に配置された状態から前記キッチンユニット本体の上面とほぼ平行な状態となるように外方に移動される回転式の補助カウンターとスライドカウンターとを出し入れ自在に、かつ並列に設け、
前記キッチンユニット本体の正面の下位に、前記キッチンユニット本体の内部空間に配置された状態から前記キッチンユニット本体の外方に移動される引出し式椅子を出し入れ自在に配設したことを特徴とするキッチンユニット。
【請求項２】
請求項１に記載のキッチンユニットにおいて、
前記補助カウンターは、前記キッチンユニット本体に配設された蝶番により回動自在に取り付けられ、かつ前記キッチンユニット本体に回動自在に取り付けられたブラケットにより支持されていることを特徴とするキッチンユニット。
【請求項３】
請求項２に記載のキッチンユニットにおいて、
前記キッチンユニット本体と前記補助カウンターとは、各対向面が互いに拡開する傾斜面とされ、かつ前記蝶番の軸体が前記キッチンユニット本体と前記補助カウンターとの接合部間の上面を閉塞するように前記蝶番を配置して前記対向面間に隙間が生じるように連結されていることを特徴とするキッチンユニット。
【請求項４】
請求項２又は３に記載のキッチンユニットにおいて、
前記蝶番は、軸体を支点として回転する可動板が前記キッチンユニット本体と前記補助カウンターとの各対向面の傾斜面と当該傾斜面に連なる下面の一部とに密接して沿うように折り曲げ成形されたものであることを特徴とするキッチンユニット。
【請求項５】
請求項１乃至４のいずれかに記載のキッチンユニットにおいて、
前記スライドカウンターは、側縁から引出し方向に突出する支持部材を備え、前記支持部材が前記キッチンユニット本体に配設された横Ｊ字状のガイドレールに係止された状態で引出し方向に移動可能に支持されていることを特徴とするキッチンユニット。
【請求項６】
請求項１乃至５のいずれかに記載のキッチンユニットにおいて、
前記補助カウンターとスライドカウンターとの、外方に移動された状態で対向する各側面に、互いに着脱自在に嵌合できる突起部と凹部とを設けたことを特徴とするキッチンユニット。
【請求項７】
請求項１乃至６のいずれかに記載のキッチンユニットにおいて、
前記引出し式椅子は、小物品を収容可能な空間を備えたものであることを特徴とするキッチンユニット。
【請求項８】
請求項１乃至７のいずれかに記載のキッチンユニットにおいて、
前記キッチンユニット本体の上面の背面側外縁部に、前記キッチンユニット本体のシンクもしくは加熱調理機器からの水はねもしくは油はねを受ける遮蔽板を設けたことを特徴とするキッチンユニット。
【請求項９】
請求項１乃至８のいずれかに記載のキッチンユニットにおいて、
前記キッチンユニット本体の上面の側面側外縁部に、前記キッチンユニット本体のシンクもしくは加熱調理機器からの水はねもしくは油はねを受ける遮蔽板を設けたことを特徴とするキッチンユニット。
【考案の詳細な説明】
【技術分野】
【０００１】
本考案は、キッチンユニット本体の上面に加熱調理機器とシンクが設けられた対面式のキッチンユニットに関する。
【背景技術】
【０００２】
近年、システムキッチンの分野において、主婦が炊事作業中でも家族とコミュニケーションを取る目的で、対面式キッチンユニットが採用されており（ 特許文献１参照）、このため既設の壁付け式キッチンを対面式キッチンに変更したいとの要望がある。その一方で、対面式キッチンの場合は居住空間を圧迫するので、居住空間のゆとりを確保したいとの要望もある。
【０００３】
居住空間のゆとりを確保するためには、使用してないときはキッチンユニット本体の上面がなるべく縮小化しており、かつ使用するときは状況に応じて拡大できることが望まれる。
【先行技術文献】
【特許文献】
【０００４】
【特許文献１】特開２００６−２８８４７５号公報
【特許文献２】実開平７−１８３５号公報
【考案の概要】
【考案が解決しようとする課題】
【０００５】
例えば、従来のシステムキッチンとして、キッチンユニット本体の上面に平行にボックス型の補助カウンタを出し入れ自在に設けることが知られている（特許文献２参照）。しかし、この構造の補助カウンタを食卓として使用するときは、椅子を置くためのスペースが別途必要になるという課題がある。
【０００６】
本考案は、上記の課題を解決するためになされたもので、キッチン使用時にキッチンユニット本体の上面を有効に拡大できるキッチンユニットを提供することを目的とする。
【課題を解決するための手段】
【０００７】
以下の構成はそれぞれ上記の課題を解決するための手段である。
〈構成１〉
キッチンユニット本体の上面に加熱調理機器とシンクが設けられた対面式のキッチンユニットであって、  前記キッチンユニット本体の正面の上位に、前記キッチンユニット本体の内部空間に配置された状態から前記キッチンユニット本体の上面とほぼ平行な状態となるように外方に移動される回転式の補助カウンターとスライドカウンターとを出し入れ自在に、かつ並列に設け、前記キッチンユニット本体の正面の下位に、前記キッチンユニット本体の内部空間に配置された状態から前記キッチンユニット本体の外方に移動される引出し式椅子を出し入れ自在に配設したことを特徴とするキッチンユニット。
【０００８】
〈構成２〉
構成１に記載のキッチンユニットにおいて、前記補助カウンターは、前記キッチンユニット本体に配設された蝶番により回動自在に取り付けられ、かつ前記キッチンユニット本体に回動自在に取り付けられたブラケットにより支持されていることを特徴とするキッチンユニット。
【０００９】
〈構成３〉
構成２に記載のキッチンユニットにおいて、前記キッチンユニット本体と前記補助カウンターとは、各対向面が互いに拡開する傾斜面とされ、かつ前記蝶番の軸体が前記キッチンユニット本体と前記補助カウンターとの接合部間の上面を閉塞するように前記蝶番を配置して前記対向面間に隙間が生じるように連結されていることを特徴とするキッチンユニット。
【００１０】
〈構成４〉
構成２又は３に記載のキッチンユニットにおいて、前記蝶番は、軸体を支点として回転する可動板が前記キッチンユニット本体と前記補助カウンターとの各対向面の傾斜面と当該傾斜面に連なる下面の一部とに密接して沿うように折り曲げ成形されたものであることを特徴とするキッチンユニット。
【００１１】
〈構成５〉
構成１乃至４のいずれかに記載のキッチンユニットにおいて、前記スライドカウンターは、側縁から引出し方向に突出する支持部材を備え、前記支持部材が前記キッチンユニット本体に配設された横Ｊ字状のガイドレールに係止された状態で引出し方向に移動可能に支持されていることを特徴とするキッチンユニット。
【００１２】
〈構成６〉
構成１乃至５のいずれかに記載のキッチンユニットにおいて、前記補助カウンターとスライドカウンターとの、外方に移動された状態で対向する各側面に、互いに着脱自在に嵌合できる突起部と凹部とを設けたことを特徴とするキッチンユニット。
【００１３】
〈構成７〉
構成１乃至６のいずれかに記載のキッチンユニットにおいて、前記引出し式椅子は、小物品を収容可能な空間を備えたものであることを特徴とするキッチンユニット。
【００１４】
〈構成８〉
構成１乃至７のいずれかに記載のキッチンユニットにおいて、前記キッチンユニット本体の上面の背面側外縁部に、前記キッチンユニット本体のシンクもしくは加熱調理機器からの水はねもしくは油はねを受ける遮蔽板を設けたことを特徴とするキッチンユニット。
【００１５】
〈構成９〉
構成１乃至８のいずれかに記載のキッチンユニットにおいて、前記キッチンユニット本体の上面の側面側外縁部に、前記キッチンユニット本体のシンクもしくは加熱調理機器からの水はねもしくは油はねを受ける遮蔽板を設けたことを特徴とするキッチンユニット。
【考案の効果】
【００１６】
〈構成１の効果〉
キッチン使用時にキッチンユニット本体の上面を有効に拡大できる。補助カウンターのみを外方に引き出してスライドカウンターを外方に移動しない状態とすることにより、調理人がスライドカウンターの引出しスペースに入り補助カウンターを利用して配膳スペースが広い状態で調理できる。
〈構成２の効果〉
補助カウンターを簡単に出し入れできる。
〈構成３の効果〉
キッチンユニット本体と補助カウンターとの接合部間の上面を閉塞すると共に、対向面間に隙間が生じるように連結したことにより、補助カウンターを回転したときに、補助カウンターとキッチンユニット本体との間に指が挟まれて損傷する事故を未然に防止できる。
〈構成４の効果〉
このような蝶番を使用することにより、蝶番を固定するビスの強度が保持されるのでキッチンユニット本体と補助カウンターとを着実に連結できる。
〈構成５の効果〉
ブラケットおよびスライドカウンターを着実に出し入れできる。
〈構成６の効果〉
補助カウンターとスライドカウンターとが外方に移動されたときに、より堅固な平面を構成する。
〈構成７の効果〉
小物品の整理保管に便利である。
〈構成８の効果〉
遮蔽板をキッチンユニット本体の上面に起立させておくことにより水はねもしくは油はねに対して迅速かつ有効に対処できる。
〈構成９の効果〉
遮蔽板をキッチンユニット本体の上面に起立させておくことにより水はねもしくは油はねに対して迅速かつ有効に対処できる。
【図面の簡単な説明】
【００１７】
【図１】実施例１のキッチンユニットを示す平面図である。
【図２】同正面図である。
【図３】同キッチンユニット本体で使用する補助カウンターの動きを示す図で、（ａ）は補助カウンターが動く前の状態を示す説明図、（ｂ）は補助カウンターが動いた後にブラケットにより支持された状態を示す説明図である。
【図４】同補助カウンターを同キッチンユニット本体に取り付ける蝶番の説明図で、（ａ）は本考案に係る蝶番を示す正面図、（ｂ）は同平面図、（ｃ）は従来から使用されている蝶番を示す正面図、（ｄ）はこの従来の蝶番を使用して補助カウンターをキッチンユニット本体に取り付けた状態を示す説明図である。
【図５】同キッチンユニット本体で使用するスライドカウンターを拡大して示す図で、（ａ）は同スライドカウンターを同キッチンユニット本体内に収納した状態を示す説明図、（ｂ）は同スライドカウンターの側面を示す説明図、（ｃ）は同スライドカウンターの支持部材を示す説明図である。
【図６】同スライドカウンターを示す平面図である。
【図７】同スライドカウンターの動きを示す図で、（ａ）は同スライドカウンターが動く前の状態を示す説明図、（ｂ）は同スライドカウンターが動いている途中の状態を示す説明図、（ｃ）はスライドカウンターが動いた後の状態を示す説明図である。
【図８】実施例２のキッチンユニットの概要を示す図で、（ａ）は同キッチンユニット本体で使用する回転式の遮蔽板が動く前の状態を示す説明図、（ｂ）は同遮蔽板が回転して起立した状態を示す説明図である。
【図９】本考案に係るキッチンユニットの設置状況の概要を示す図で、（ａ）はスライドカウンター及び補助カウンターの移動前の状態を示す平面図、（ｂ）は同側面図である。
【図１０】本考案に係るキッチンユニットの設置状況の概要を示す図で、（ａ）はスライドカウンター及び補助カウンターの移動後の状態を示す平面図、（ｂ）は同側面図である。
【考案を実施するための形態】
【００１８】
以下、本考案の実施の形態を詳細に説明する。
【実施例１】
【００１９】
図１は実施例１のキッチンユニット１０を示す平面図、図２はその正面図である。
【００２０】
これらの図において、キッチンユニット１０は、キッチンユニット本体１２の上面に加熱調理機器１４とシンク１６が設けられた対面式の構造をなすものである。加熱調理機器１４は、ガスコンロ式でもＩＨクッキングヒーター式でもよい。
【００２１】
図示を省略したが、加熱調理機器１４およびシンク１６には、給電、ガス、給水、給湯、排水等の各種配管に対応する周知の管体が連結されている。
【００２２】
キッチンユニット本体１２の正面（図１中の下側）の上位に、キッチンユニット本体１２の上面とほぼ同一平面となる補助カウンター２０とスライドカウンター２２とが設けられている。
【００２３】
スライドカウンター２２が中央に位置し、その両隣に補助カウンター２０が位置するようにほぼ同一平面に並列に設けられている。補助カウンター２０とスライドカウンター２２とは、キッチンユニット本体１２の内部空間１８に配置された状態から外方に出し入れ自在に設けられている。スライドカウンター２２を示す図形には、分かり易くするために点模様を付している。
【００２４】
補助カウンター２０は、常時は邪魔にならないようにキッチンユニット本体１２の正面空間１８内に沿って縦向きに配置されてキッチンユニット本体１２の外面から外方に突出しないようにされている。
【００２５】
キッチン使用時に補助カウンター２０とスライドカウンター２２を外方に引き出すことにより、キッチンユニット本体１２の上面を実質的に拡大できる。また、補助カウンター２０のみを外方に引き出してスライドカウンター２２を外方に移動しない状態とすることにより、調理人がスライドカウンター２２の引出しスペースに入り込んで２枚の補助カウンター２０を利用して配膳スペースが広い状態で調理することができる。
【００２６】
キッチンユニット本体１２の正面の下位には、２台の引出し式椅子３６、物品収納部３７、配管設備を備えるＰＳ３９等が適宜配設されている。符号１３はキッチンユニット本体１２の支持脚を示している。
【００２７】
引出し式椅子３６は、出し入れ自在にする車輪３８と小物品を収容可能な内部空間（図示せず）とを備えている。引出し式椅子３６は、必要に応じてキッチンユニット本体１２の内部空間１８に配置された状態からキッチンユニット本体１２の外方に移動される。
【００２８】
図３はキッチンユニット本体１２で使用する補助カウンター２０の動きを示す図で、（ａ）は補助カウンター２０が動く前の状態を示す説明図、（ｂ）は補助カウンター２０が動いた後にブラケット４８により支持された状態を示す説明図である。
【００２９】
補助カウンター２０は、図３（ａ）に示すようにキッチンユニット本体１２に配設された蝶番４０により回動自在に取り付けられ、かつ図３（ｂ）に示すようにキッチンユニット本体１２に回動自在に取り付けられたブラケット４８により支持される。
【００３０】
キッチンユニット本体１２と補助カウンター２０とは、図３（ｂ）に示すように各対向面５０が互いに拡開する傾斜面とされ、この各対向面５０間に蝶番４０を介して連結されている。このとき、図３（ａ）に示すように、蝶番４０の軸体４２がキッチンユニット本体１２と補助カウンター２０との接合部間の上面を閉塞するように蝶番４０を配置して各対向面５０間に隙間５２が生じるようにされている。
【００３１】
図４は補助カウンター２０をキッチンユニット本体１２に取り付ける蝶番４０の説明図で、（ａ）は本考案に係る蝶番４０を示す正面図、（ｂ）は平面図、（ｃ）は従来から使用されている蝶番４０を示す正面図、（ｄ）はこの従来の蝶番４０を使用して補助カウンター２０をキッチンユニット本体１２に取り付けた状態を示す説明図である。
【００３２】
蝶番４０は、図４（ａ）、（ｂ）に示すように、軸体４２を支点として回転する各可動板４４が幅広とされ、かつキッチンユニット本体１２と補助カウンター２０との各対向面５０の傾斜面と当該傾斜面に連なる下面の一部とに密接して沿うように折り曲げ成形されている。符号４６は蝶番４０を固定するビスであり、可動板４４に設けられている透孔に差し込まれる。
【００３３】
可動板４４の折り曲げ角度αは、キッチンユニット本体１２と補助カウンター２０との各対向面５０の傾斜面に合う角度とされ、実験的には１３５度位が望ましい。
【００３４】
上記構成の蝶番４０によりキッチンユニット本体１２と補助カウンター２０との接合部間の上面を閉塞すると共に、対向面５０間に隙間５２が生じるように連結したことにより、図４（ｃ）に示す従来の蝶番４５を使用して図４（ｄ）に示すようにキッチンユニット本体１２と補助カウンター２０とを連結した構成に比べて次の作用効果を奏する。
【００３５】
すなわち、蝶番４０を固定するビス４６の強度が保持され、キッチンユニット本体１２と補助カウンター２０とを着実に連結できると共に、補助カウンター２０を回転したときに、補助カウンター２０とキッチンユニット本体１２との間に指が挟まれて損傷する事故を未然に防止できる。
【００３６】
図５はキッチンユニット本体１２で使用するスライドカウンター２２を拡大して示す図で、（ａ）はスライドカウンター２２をキッチンユニット本体１２内に収納した状態を示す説明図、（ｂ）はスライドカウンター２２の側面を示す説明図、（ｃ）はスライドカウンター２２の支持部材２４を示す説明図である。図６はスライドカウンター２２を示す平面図である。
【００３７】
スライドカウンター２２は、図５、図６に示すように、側縁から引出し方向に突出する支持部材２４を備えている。支持部材２４はスライドカウンター２２の本体に対して取付板２６を介して固定され、先端部には車輪２８が配設されている。キッチンユニット本体１２には車輪２８をガイドする横Ｊ字状のガイドレール３０が配設されている。
【００３８】
スライドカウンター２２は、図５に示すように、支持部材２４がキッチンユニット本体１２に配設されたガイドレール３０に係止された状態で引出し方向に移動可能に支持されている。
【００３９】
スライドカウンター２２を図５（ａ）に示す状態から右方に移動させたとき、車輪２８はガイドレール３０に沿って移動する。車輪２８がガイドレール３０の曲り部を通過することにより、スライドカウンター２２は方向転換して図５（ａ）の左方に移動する。
【００４０】
図７はスライドカウンター２２の動きを示す説明図である。図７の（ａ）には図５（ａ）に示したと同様の、スライドカウンター２２が動く前の状態を示している。図７の（ｂ）はスライドカウンター２２が外方に引き出されている途中の状態を示している。このときは車輪２８がガイドレール３０の曲り部を通過中である。
【００４１】
図７の（ｃ）はスライドカウンター２２がキッチンユニット本体１２の端面に固定された状態を示している。このときは、スライドカウンター２２が一旦、補助カウンター２０の端面より若干外方に突出するが、車輪２８がガイドレール３０の曲り部を通過した後に後退する動きをして補助カウンター２０の端面と並ぶと共にほぼ同一平面となる。
【００４２】
補助カウンター２０とスライドカウンター２２には、外方に移動された状態で対向する各側面に、互いに着脱自在に嵌合できる突起部３２と凹部３４とが設けられている。スライドカウンター２２が図７の（ｃ）に示された動きをしたときに、スライドカウンター２２に設けられた突起部３２が補助カウンター２０に設けられている凹部３４に嵌入される。
【００４３】
突起部３２と凹部３４とが嵌合されることにより、補助カウンター２０とスライドカウンター２２とが外方に移動されたときに、より堅固な平面を構成する。
【００４４】
なお、図１、図２に示したように、必要に応じてキッチンユニット本体１２の上面の側面側外縁部に、シンク１６もしくは加熱調理機器１４からの水はねもしくは油はねを受ける遮蔽板１９を起立させて設けてもよい。
【００４５】
これらの遮蔽板１９はキッチンユニット本体１２に対して固定あるいはキッチンユニット本体１２の上面の側面側外縁部を支点として蝶番等を介して回動自在に設けられる。
【００４６】
遮蔽板１９をキッチンユニット本体１２の上面の側面側外縁部を支点として回動自在に設けることにより、水はねもしくは油はねの対処が不要のとき、遮蔽板１９を回動して水平状態にすればキッチンユニット本体１２の側面側の上面が平面スペースとなるのでそれをカウンターとして有効利用でき、また、遮蔽板１９をさらに回動して垂下状態にすれば、上記の水平状態に比べてキッチンユニット本体の上面スペースを縮減できる。
【実施例２】
【００４７】
図８は実施例２のキッチンユニット５３の概要を示す図であり、  図８（ａ）はキッチンユニット本体１２で使用する回転式の遮蔽板５４が動く前の状態を示す説明図、（ｂ）は遮蔽板５４が回転して起立した状態を示す説明図である。なお、図８には図１、図３と同一部分に同一符号を付して重複説明を省略する。
【００４８】
この実施例のキッチンユニット５３は、キッチンユニット本体１２の上面の背面側外縁部に、キッチンユニット本体１２のシンク１６もしくは加熱調理機器１４からの水はねもしくは油はねを受ける遮蔽板５４を固定あるいは回動自在に設けたもので、他の構成は実施例１の構成と同じである。
【００４９】
すなわち、遮蔽板５４は、図８に示すように、Ｌ字形の板体であり、キッチンユニット本体１２の上面の背面側外縁部に設けられている固定カウンター５５の上面を被うように配置され、キッチンユニット本体１２に対して固定、あるいは蝶番によりキッチンユニット本体の上面の背面側外縁部を支点として回動自在に取り付けられている。
【００５０】
固定カウンター５５は、遮蔽板５４を支持する役割も有しているが、遮蔽板５４を支持するブラケット（図示せず）を別途設けることにより省略されてもよい。
【００５１】
遮蔽板５４をキッチンユニット本体１２の上面に起立させておくことにより水はねもしくは油はねに対して迅速かつ有効に対処できる。水はねもしくは油はねの対処が不要のときは遮蔽板５４を回動して水平状態にすればキッチンユニット本体１２の背面側の上面が平面スペースとなるのでそれをカウンターとして有効利用できる。
【００５２】
上記した本考案に係るキッチンユニット１０は、図９又は図１０に示すようにキッチン５９内に設置されて使用される。すなわち、キッチンユニット１０は、補助カウンター２０やスライドカウンター２２を利用しない場合は図９に示すように配置され、キッチンユニット本体１２に対応して椅子５８を置くことによりキッチンユニット本体１２上面を食卓として利用できる。符号５６は食器棚を示している。
【００５３】
補助カウンター２０やスライドカウンター２２を利用する場合、キッチンユニット１０は、図１０に示すように配置され、通常の椅子５８の他に、キッチンユニット本体１２の正面側に補助カウンター２０、スライドカウンター２２および引出し式椅子３６がキッチンユニット本体１２内から引き出されて適宜配置される。
【符号の説明】
【００５４】
１０  キッチンユニット
１２  キッチンユニット本体
１３  支持脚
１４  加熱調理機器
１６  シンク
１８  内部空間
１９  遮蔽板
２０  補助カウンター
２２  スライドカウンター
２４  支持部材
２６  取付板
２８  車輪
３０  ガイドレール
３２  突起部
３４  凹部
３５  矢印
３６  引出し式椅子
３７  物品収納部
３８  車輪
３９  ＰＳ
４０  蝶番
４２  軸体
４４  可動板
４５  従来の蝶番
４６  ビス
４８  ブラケット
５０  対向面
５２  隙間
５３  キッチンユニット
５４  遮蔽板
５５  固定カウンター
５６  食器棚
５８  椅子
【図１】
0003159891.tif 000003
【図２】
0003159891.tif 000004
【図３】
0003159891.tif 000005
【図４】
0003159891.tif 000006
【図５】
0003159891.tif 000007
【図６】
0003159891.tif 000008
【図７】
0003159891.tif 000009
【図８】
0003159891.tif 000010
【図９】
0003159891.tif 000011
【図１０】
0003159891.tif 000012